(57)【要約】      （修正有）【課題】通常は従来のキッチンタイマーとしての使用感を妨げることなく汎用キッチンタイマーとして使用し、即席カップ麺調理時のみ蓋フィルム押さえ機能を発揮して、カップ麺用タイマーとして使用することが可能なカップ麺蓋フィルム押さえキッチンタイマーを提供する。【解決手段】キッチンタイマー１の本体に収納可能な、板状または棒状の突起２等を形成する。即席カップ麺調理時これを引き出し、即席カップ麺蓋フィルム上に差し渡すことで、蓋フィルム押さえ機能を発揮することができる。前記板状または棒状の突起２等は、即席カップ麺調理時、回転軸または嵌合スライドによって引きだして、該蓋フィルム上に差し渡す。【選択図】図１
0003182911.tif 000002
【実用新案登録請求の範囲】
【請求項１】
即席カップ麺調理時、その出来上がり時間を計測するキッチンタイマーにおいて、キッチンタイマー本体に収納可能な板状または棒状の突起を形成する、即席カップ麺調理時これを引き出し、即席カップ麺蓋フィルム上に差し渡すことを可能とすることを特徴とするカップ麺蓋フィルム押さえキッチンタイマー。
【請求項２】
前記板状または棒状の突起は、即席カップ麺調理時、回転軸または嵌合スライドによって引き出され、即席カップ麺蓋フィルム上に差し渡すことを特徴とする請求項１に記載のカップ麺蓋フィルム押さえキッチンタイマー。
【考案の詳細な説明】
【技術分野】
【０００１】  本考案は、通常は従来のキッチンタイマーとしての使用感を妨げることなく、汎用キッチンタイマーとして使用し、即席カップ麺調理時のみ蓋フィルム押さえ機能を発揮して、カップ麺用タイマーとして使用することが可能となるものに関するものである。
【背景技術】
【０００２】  即席カップ麺を調理する際は、即席麺が入った容器に張り付けられた蓋フィルムの一部を剥がし、熱湯を注いだ後、蓋フィルムの突出した部分を折り曲げるなどで再び密着させ、メーカーの指定する時間、３分から５分程度、出来上がり時間の経過を待つこととなる。
この出来上がり時間を測定するため、時計を使用するか、キッチンタイマーなど報知機能を有する電子式タイマー装置を使用することとなる。【０００３】  一方、  蓋フィルムついては剥がした際の反り返りを抑え密着を助けるため、蓋フィルムに付けられた突出した部分を折り曲げる以外に、押さえ蓋形式の重しを乗せることが多くある、この押さえ蓋とタイマーを一体化した物は従来から提案されている（例えば登録実用新案３０９０７１９号）。
【先行技術文献】
【特許文献】
【０００４】
【特許文献１】特許公開番号２０１２−１２５５２３
【特許文献２】特許公開番号２００９−２９４１９３
【特許文献３】特許公開平１１−３１４６５８
【特許文献４】登実用新案公開平０５−０６７２８６
【特許文献５】登録実用新案３０９０７１９号
【考案の概要】
【考案が解決しようとしている課題】
【０００５】  現在、キッチンタイマーは多くの家庭において普及しており、カップ麺調理時においても使用されている。また、即席カップ麺調理時に蓋フィルムの密着を助ける為、何らかの蓋フィルム押さえを使用することが多くある。
【０００６】  この蓋フィルム押さえとタイマーを一体として使用することは、即席カップ麺調理時において簡便かつ有効であり、現在、カップ麺用タイマーとして幾つかのものが提案され、一部のものは商品化されている。
しかしながら、カップ麺蓋フィルム部分の直径は一部のものを除き直径９５ｍｍないし１５０ｍｍのものが多く、現在カップ麺用タイマーとして提案されているものの蓋押さえ部分の形態の大きさは、同大かそれに準ずる大きさがあり、蓋フィルム押さえ部分とタイマー部分が、一体型か、または分離型の何れかに係らず専用器具ないし、それに近い形のものである。
この為、その管理の手間およびカップ麺の単価との見合いを考えた場合、保有の必要性は低くなり、これら従来から提案されているものについては広く普及するまでには至っていない。
【０００７】  以上の状況に鑑み、通常は汎用キッチンタイマーとしての形態を有し、その使い勝手を維持しながら、即席カップ麺調理時には蓋フィルム押さえ機能を発揮して、カップ麺用タイマーとして使用することが可能となるものを提供することを課題とする。
【課題を解決するための手段】
【０００８】  上記課題を解決するため、本考案は即席カップ麺調理時、その出来上がり時間を計測するキッチンタイマーにおいて、キッチンタイマー本体に収納可能な板状または棒状の突起を形成する、即席カップ麺調理時にこれを引き出し、即席カップ麺蓋フィルム上に差し渡すことを可能することを特徴とする、カップ麺蓋フィルム押さえキッチンタイマー。
前記板状または棒状の突起は、即席カップ麺調理時、回転軸または嵌合スライドによって引き出され、即席カップ麺蓋フィルム上に差し渡すことを特徴とするカップ麺蓋フィルム押さえキッチンタイマー。
【考案の効果】
【０００９】  本考案によれば、通常はその外形において、従来のキッチンタイマーと比較し大差ない為、その使用感を妨げることなく汎用キッチンタイマーとして使用することが可能である。
【００１０】  通常は蓋フィルム押さえ部分は、タイマー本体に収納される為、その維持管理に特段の注意を払う必要の無い物である。
【００１１】  カップ麺調理時にはキッチンタイマー本体に収納された、板状または棒状の突起を引き出し、即席カップ麺蓋フィルム上に差し渡すことを可能とすることで、蓋フィルム上の数点の密着を図り蓋フィルム押さえ機能を発揮することを特徴とする、カップ麺蓋フィルム押さえキッチンタイマーである。
これにより、即席カップ麺調理時の利便性を向上させると共に、キッチンタイマーとしての有用性を高め、その普及に資するものである。
【図面の簡単な説明】
【００１２】
【図１】  請求項１の実施に係る、本考案の全体構成を示した斜視図である。
【図２】  請求項１の実施に係る、板状突起をキッチンタイマー本体に収納した状態を示す斜視図である。
【図３】  請求項１、および請求項２の実施に係る、［図２］をＡより見て、板状突起の可動状態を示す平面図である。
【図４】  請求項１、および請求項２の実施に係る一例を示す斜視図である。
【考案を実施するための形態】
【００１３】  本考案の実施形態は図１において以下のとおりである。
カップ麺調理時、その出来上がり時間を計測する丸型キッチンタイマー（１）において、キッチンタイマー本体に回転軸により収納可能な板状（２）の突起を形成する、即席カップ麺（３）調理時これを引き出し、即席カップ麺蓋フィルム上に差し渡すことを可能とすることを特徴とする、カップ麺フィルム押さえキッチンタイマーである。
【００１４】  本考案の実施形態は図４においては、角型キッチンタイマー（５）において、キッチンタイマー本体に突起（６）は嵌合スライドにより、突起（７）は回転軸により収納可能な、板状の突起を形成する、即席カップ麺調理時これを引き出し、即席カップ麺蓋フィルム上に差し渡すことを可能することを特徴とする、カップ麺フィルム押さえキッチンタイマーである。
【符号の説明】
【００１５】  １．丸型キッチンタイマー
２．回転軸によって収納可能な板状突起
３．即席カップ麺
４．回転軸によって収納可能な板状突起の可動状態を示す
５．角型キッチンタイマー
６．角型キッチンタイマーに嵌合スライドによって収納される、板状突起
７．角型キッチンタイマーに回転軸によって収納される、板状突起
【図１】
0003182911.tif 000003
【図２】
0003182911.tif 000004
【図３】
0003182911.tif 000005
【図４】
0003182911.tif 000006